(57)【要約】【課題】垂直に取付ける場合は勿論のこと、水平に取付けても開閉部材が外れることがない蝶番及びその蝶番を取付けた棺を提供する。【解決手段】一対の蝶番体２Ａ、２Ｂを支軸４で回転自在に支承した蝶番１である。蝶番体２Ｂには、該蝶番体２Ｂ側が小径部５ａで、先端側が大径部５ｂよりなる駒５が固定されている。蝶番体２Ａは、蓋６に固定されている。棺の側板７の上面には、駒５の大径部５ｂが挿入される大径穴７ａと、この大径穴７ａより側板７の上面に沿って駒５の小径部５ａに対応して小径のスリット７ｂと駒５の大径部５ｂに対応して大径のスリット７ｃが形成されている。【選択図】      図１
0003113665.tif 000002
【実用新案登録請求の範囲】
【請求項１】
一対の蝶番体を支軸で回転自在に支承した蝶番において、一方の蝶番体には、該蝶番体側が小径部で、先端側が大径部よりなる駒が固定されており、この駒が挿入される部材には、駒の大径部が挿入される大径穴と、この大径穴より部材の上面に沿って駒の小径部に対応して小径のスリットと駒の大径部に対応して大径のスリットが形成されていることを特徴とする蝶番。
【請求項２】
一対の蝶番体を支軸で回転自在に支承した蝶番において、一方の蝶番体には、該蝶番体側が小径部で、先端側が大径部よりなる駒が固定されており、前記駒が固定された蝶番体でない方の蝶番体は、蓋に固定されており、棺の側板の上面には、駒の大径部が挿入される大径穴と、この大径穴より側板の上面に沿って駒の小径部に対応して小径のスリットと駒の大径部に対応して大径のスリットが形成されていることを特徴とする棺。
【請求項３】
前記駒の大径部は、円錐部に形成されていることを特徴とする請求項１又は２記載の蝶番又は棺。
【考案の詳細な説明】
【技術分野】
【０００１】
本考案は、蝶番及びその蝶番を取付けた棺に関する。
【背景技術】
【０００２】
従来、扉等を側壁より取外し自在とするために、抜き差し蝶番が用いられている。この蝶番は、特許文献１に示すように、蝶番の一方の蝶番体に軸ピンが固定され、他方の蝶番体には、前記軸ピンが回転自在に嵌挿される筒部が形成されており、一方の蝶番体を側壁に固定し、他方の蝶番体を扉等に固定して使用する。そこで、扉等を上方に引き上げることにより、扉等を側壁より取り外すことができ、また筒部を軸ピンに挿入することにより扉等を側壁に回転自在に取付けることができる。
【０００３】
棺においては、特許文献２に示すように、蓋が棺本体に蝶番を介して回転自在に取付けられたものが知られている。なお、蓋は開閉できるが取外しはできない。
【０００４】
【特許文献１】特開２０００−１７９２１９号公報
【特許文献２】実公昭４３−２３５９８号公報
【考案の開示】
【考案が解決しようとする課題】
【０００５】
特許文献１に示すように、一対の蝶番体を上下に取付ける場合には、この蝶番が取付けられた物を運搬する時に軸ピンが筒部より抜けることがない。しかし、特許文献１の蝶番を、例えば特許文献２に示すように蓋を取外し可能に蝶番を水平に取付けた場合には、次のような問題が生じる。棺を運搬する時、蝶番体の筒部側を下方に傾けると、蓋が自然に外れてしまう。
【０００６】
本考案の課題は、垂直に取付ける場合は勿論のこと、水平に取付けても開閉部材が外れることがない蝶番及びその蝶番を取付けた棺を提供することにある。
【課題を解決するための手段】
【０００７】
上記課題を解決するための本考案の請求項１の蝶番は、一対の蝶番体を支軸で回転自在に支承した蝶番において、一方の蝶番体には、該蝶番体側が小径部で、先端側が大径部よりなる駒が固定されており、この駒が挿入される部材には、駒の大径部が挿入される大径穴と、この大径穴より部材の上面に沿って駒の小径部に対応して小径のスリットと駒の大径部に対応して大径のスリットが形成されていることを特徴とする。
【０００８】
上記課題を解決するための本考案の請求項２の棺は、一対の蝶番体を支軸で回転自在に支承した蝶番において、一方の蝶番体には、該蝶番体側が小径部で、先端側が大径部よりなる駒が固定されており、前記駒が固定された蝶番体でない方の蝶番体は、蓋に固定されており、棺の側板の上面には、駒の大径部が挿入される大径穴と、この大径穴より側板の上面に沿って駒の小径部に対応して小径のスリットと駒の大径部に対応して大径のスリットが形成されていることを特徴とする。
【０００９】
上記課題を解決するための本考案の請求項３の蝶番又は棺は、上記請求項１又は２において、前記駒の大径部は、円錐部に形成されていることを特徴とする。
【考案の効果】
【００１０】
蝶番を水平に取付け、運搬中に部材の大径穴側が下方に傾いても、駒が大径穴にずれるのみであり、蝶番が固定された部材が外れることはない。
【考案を実施するための最良の形態】
【００１１】
本考案の蝶番及びその蝶番を取付けた棺の一実施の形態を図１及び図２により説明する。蝶番１は、一対の蝶番体２Ａ、２Ｂを有し、蝶番体２Ａ、２Ｂの筒部３Ａ、３Ｂに支軸４が挿入されている。蝶番体２Ａの筒部３Ａは支軸４に回転自在に支承され、蝶番体２Ｂの筒部３Ｂは支軸４に固定されている。以上は周知の構造である。
【００１２】
本実施の形態においては、蝶番体２Ｂには、取付け部材側に突出するように駒５が固定されている。駒５は、蝶番体２Ｂ側が小径部５ａよりなり、先端側が円錐部よりなる大径部５ｂに形成されている。
【００１３】
前記した構成よりなる蝶番は、蝶番体２Ａは棺の蓋６の内面に固定されている。棺の本体の側板７の上面には、駒５の大径部５ｂが上方より挿入される大径穴７ａが形成され、この大径穴７ａより側板７の上面に沿って駒５の小径部５ａに対応して小径のスリット７ｂが形成され、スリット７ｂの下方には駒５の大径部５ｂに対応して大径のスリット７ｃが形成されている。ここで、図２（ｃ）（ｄ）に示すように、駒５の小径部５ａを側板７のスリット７ｂの端部に位置させた時、蓋６は側板７の正常位置に位置するようにスリット７ｂは形成されている。
【００１４】
次に作用について説明する。蓋６を側板７に取付ける場合は、図１及び図２（ａ）（ｂ）に示すように、駒５を側板７の大径穴７ａに挿入する。この場合、駒５の大径部５ｂは円錐部となっているので、円錐部がガイドとなって大径穴７ａにスムーズに挿入される。蓋６を側板７の上面に沿って移動させる。これにより、図２（ｃ）（ｄ）に示すように、駒５の小径部５ａは小径のスリット７ｂの端部に位置し、駒５の大径部５ｂが大径のスリット７ｃの端部に位置する。これにより、駒５は側板７より抜けなくなり、蓋６は側板７に取付けられる。蓋６を回転させて棺本体上に被せると、蓋６が棺本体を覆う。この状態で棺を運搬し、運搬中に大径穴７ａ側が下方に傾いても、蓋６は図２（ｃ）（ｄ）の状態より図１及び図２（ａ）（ｂ）に示す状態にずれるのみであり、蓋６が外れることはない。
【００１５】
蓋６を側板７より取り外す場合には、前記と逆の動作を行えばよい。即ち、蓋６を大径穴７ａ側に移動させて駒５を大径穴７ａに位置させる。そして、蓋６を持ち上げれば蓋６を側板７、即ち棺本体より取り外すことができる。
【００１６】
このように、蝶番体２Ｂには、該蝶番体２Ｂ側が小径部５ａで、先端側が大径部５ｂよりなる駒５が固定されている。そこで、本実施の形態のように、蝶番体２Ａを蓋６に固定し、側板７の上面には、駒５の大径部５ｂが挿入される大径穴７ａと、この大径穴７ａより側板７の上面に沿って駒５の小径部５ａに対応して小径のスリット７ｂと駒５の大径部５ｂに対応して大径のスリット７ｃを形成する。従って、蝶番１を水平に取付け、運搬中に側板７の大径穴７ａ側が下方に傾いても、蓋６は駒５が大径穴７ａにずれるのみであり、蓋６が外れることはない。
また駒５の大径部５ｂは円錐部となっているので、円錐部がガイドとなって大径穴７ａにスムーズに挿入される。
【００１７】
なお、上記実施の形態においては、蝶番１を棺に適用した場合を説明したが、棺に限らず広く適用できる。
【図面の簡単な説明】
【００１８】
【図１】本考案の蝶番及びその蝶番を取付けた棺の要部の一実施の形態を示し、（ａ）は平面図、（ｂ）は（ａ）のＡ−Ａ線断面図である。
【図２】駒とスリットとの関係を示し、（ａ）は駒を大径穴に挿入した状態の平面図、（ｂ）は（ａ）のＢ−Ｂ線断面図、（ｃ）は駒をスリットの先端部まで移動させた状態の平面図、（ｄ）は（ｃ）のＣ−Ｃ線断面図である。
【符号の説明】
【００１９】
１    蝶番
２Ａ、２Ｂ    蝶番体
３Ａ、３Ｂ    筒部
４    支軸
５    駒
５ａ    小径部
５ｂ    大径部
６    蓋
７    側板
７ａ    大径穴
７ｂ、７ｃ    スリット
【図１】
0003113665.tif 000003
【図２】
0003113665.tif 000004